(57)【要約】      （修正有）【課題】改善された新規なセンサ装置を提供する。【解決手段】気体を測定及び／又は検出を行うセンサ装置は、第１のマイクロメカニカル電極Ｅ１と第２のマイクロメカニカル電極Ｅ２と薄膜イオン伝導性材料５とを含み、薄膜イオン伝導性材料５は、負帯電イオンの伝導率に比べて高い正帯電イオン（特にプロトン）の伝導率を有しており、第１のマイクロメカニカル電極Ｅ１と第２のマイクロメカニカル電極Ｅ２との間に埋め込まれている。【選択図】図１
2014224819.tif 000002
【特許請求の範囲】
【請求項１】
気体の測定及び／又は検出を行うセンサ装置であって、
第１のマイクロメカニカル電極（Ｅ１）と、
第２のマイクロメカニカル電極（Ｅ２）と、
薄膜イオン伝導性材料（５）と
を含み、
前記薄膜イオン伝導性材料（５）は、負帯電イオンの伝導率に比べて高い正帯電イオンの伝導率を有しており、前記第１のマイクロメカニカル電極（Ｅ１）と前記第２のマイクロメカニカル電極（Ｅ２）との間に埋め込まれている
ことを特徴とするセンサ装置。
【請求項２】
前記薄膜イオン伝導性材料（５）は５０ｎｍ以上１５００ｎｍ以下の厚さを有する、請求項１記載のセンサ装置。
【請求項３】
前記薄膜イオン伝導性材料（５）は、１０−８Ｓ／ｃｍ以上の正帯電イオンの伝導率、例えばプロトン伝導率を有する、請求項１又は２記載のセンサ装置。
【請求項４】
前記薄膜イオン伝導性材料（５）は、主として、
ポリマー群、有利にはナフィオン、及び／又は、
セラミック群、有利にはイットリウム酸化物（Ｙ２Ｏ３）、又は、
ペロブスカイト、有利にはバリウムジルコニウム酸化物、又は、
アクセプタドープされた酸化物／ペロブスカイト、有利には、Ｎｄ：ＢａＣｅＯ３もしくはＹ：ＳｒＺｒＯ３もしくはＹ：ＳｒＣｅＯ３もしくはこれらの材料の混合物、
から選択された材料から形成されている、
請求項１から３までのいずれか１項記載のセンサ装置。
【請求項５】
前記第１のマイクロメカニカル電極及び前記第２のマイクロメカニカル電極（Ｅ１，Ｅ２）の一方もしくは双方は多孔性を有するように構成されている、請求項１から４までのいずれか１項記載のセンサ装置。
【請求項６】
前記第１のマイクロメカニカル電極及び前記第２のマイクロメカニカル電極（Ｅ１，Ｅ２）の一方もしくは双方は、主として、Ｐｔ，Ｐｄ，Ａｕ，Ｎｉもしくはこれらの混合物を含む群から選択された材料から形成されている、請求項１から５までのいずれか１項記載のセンサ装置。
【請求項７】
前記センサ装置はさらに多孔性領域を含むマイクロメカニカル支持体基板（１）を含み、前記多孔性領域の上方に前記第１のマイクロメカニカル電極及び前記第２のマイクロメカニカル電極（Ｅ１，Ｅ２）及び前記薄膜イオン伝導性材料（５）が配置されている、請求項１から６までのいずれか１項記載のセンサ装置。
【請求項８】
前記薄膜イオン伝導性材料（５）は少なくとも部分的に一方側もしくは両側がイオン伝導性薄膜層（５０）でコーティングされており、前記イオン伝導性薄膜層（５０）は負帯電イオンの伝導率に比べて高い正帯電イオンの伝導率を有する、請求項１から７までのいずれか１項記載のセンサ装置。
【請求項９】
前記イオン伝導性薄膜層（５０）は１ｎｍ以上１００ｎｍ以下の厚さを有する、請求項８記載のセンサ装置。
【請求項１０】
前記センサ装置はさらにメンブレイン領域（Ｂ）を定める開放口（Ｋ）を有し、前記第１のマイクロメカニカル電極及び前記第２のマイクロメカニカル電極（Ｅ１，Ｅ２）の一方（Ｅ２）は前記開放口（Ｋ）を通って延在している、請求項１から９までのいずれか１項記載のセンサ装置。
【発明の詳細な説明】
【技術分野】
【０００１】
本発明は、マイクロメカニカルセンサ装置、特に、気体を測定及び検出するためのマイクロメカニカルセンサ装置に関する。
【背景技術】
【０００２】
気体を測定及び検出するマイクロメカニカルセンサ装置は、例えば、ＤＥ１９９４１０５１から公知である。この文献では、酸素濃度を検出するセンサエレメントが提案されている。
【先行技術文献】
【特許文献】
【０００３】
【特許文献１】ＤＥ１９９４１０５１
【非特許文献】
【０００４】
【非特許文献１】J.Electrochem.Soc., Vol.143, No.4, 1996, 1254頁−1259頁
【発明の概要】
【発明が解決しようとする課題】
【０００５】
本発明の課題は、改善された新規なセンサ装置を提供することである。
【課題を解決するための手段】
【０００６】
この課題は、本発明の請求項１に記載のセンサ装置により、解決される。本発明では、測定及び／又は検出を行うセンサ装置は、第１のマイクロメカニカル電極と、第２のマイクロメカニカル電極と、第１のマイクロメカニカル電極と第２のマイクロメカニカル電極との間に埋め込まれた薄膜イオン伝導性材料とを含む。本発明によれば、薄膜イオン伝導性材料は、負帯電イオンの伝導率に比べて高い正帯電イオン（特にプロトン）の伝導率を有する。
【図面の簡単な説明】
【０００７】
【図１】本発明の第１の実施例のセンサ装置の断面図を示す図である。
【図２】本発明の第２の実施例のセンサ装置の断面図を示す図である。
【発明を実施するための形態】
【０００８】
負帯電イオンの伝導率に比べて正帯電イオンの伝導率のほうが高いという特性は、本明細書においては「プロトン伝導性」なる概念として理解される。言い換えると、本発明における「プロトン伝導性」とは、他のイオン（例えば酸素イオン）の伝導性が強く阻止されるのに対して、プロトンＨ＋を伝導できる状態にある、及び／又は、こうした材料を含む、ことを意味する。
【０００９】
驚くべきことに、こうした構成により簡単に、複数の気体を識別できること及び／又は気体濃度を測定できることが判明している。特に、本発明の方法によれば、広汎な適用分野において、
・装置が微細化されるので、多くの目的に適合する；
・具体的な実施形態に応じて、多くの気体に対応可能な装置が得られる；
・装置の構造が単純であり、低コストに製造できる；
という利点のうち少なくとも１つが得られる。
【００１０】
ここで、測定もしくは検出は、センサ装置において、基準気体室が分析すべき気体雰囲気から分離された状態で行われる。基準気体室の測定気体と気体雰囲気の測定気体との間に濃度差があれば、電極によって、高いほうの濃度を有する気体室から低いほうの濃度を有する気体室へ向かってプロトン電流が発生し、当該電位が測定される。これに代えて、２つの気体室の一方に水素もしくは水素を含む気体種が存在する場合、電極に電圧を外部印加することにより、薄膜プロトン伝導性材料を介してプロトンをポンピングして、これらの気体の存在を検出してもよい。
【００１１】
有利には、検出すべき気体もしくは測定すべき気体は、水素を含むか、又は、炭化水素もしくはアンモニアなどの水素を含む化合物を含む。
【００１２】
本発明における「マイクロメカニカル」なる概念は、特に、確立されている微細装置技術による製造プロセスを用いてセンサ装置を処理可能であることを意味する。この場合、キャビティ、メンブレイン及びその他のセンサ装置に必要なジオメトリを形成するために、エッチングプロセス及びパターニングプロセス（ＫＯＨエッチングプロセス、トレンチ形成プロセス、リソグラフィプロセスなど）を利用可能である。
【００１３】
本発明における「薄膜」なる概念は、特に、およそ３桁のナノメートル領域の厚さを有する薄い層を意味する。このことについては後述する。
【００１４】
本発明の有利な実施形態によれば、薄膜イオン伝導性材料は、５０ｎｍ以上１５００ｎｍ以下の厚さ、有利には１００ｎｍ以上１０００ｎｍ以下の厚さ、特に有利には２００ｎｍ以上８００ｎｍ以下の厚さを有する。こうした厚さは実用に適する。
【００１５】
本発明の有利な実施形態によれば、イオン伝導率、特に薄膜プロトン伝導性材料のプロトン伝導率は、１０−８Ｓ／ｃｍ以上、有利には１０−５Ｓ／ｃｍ以上、特に有利には１０−３Ｓ／ｃｍ以上である。実際にプロトン伝導率のこれらの値からセンサ装置の利用効率及び品質が大幅に増大するので、実用に適することが判明している。
【００１６】
ここで、プロトン伝導率は、例えばインピーダンス分析装置（J.Electrochem.Soc., Vol.143, No.4, 1996の1254頁−1259頁を参照）によって測定される。
【００１７】
本発明の有利な実施形態によれば、薄膜プロトン伝導性材料は、主として、
・ポリマー群、有利にはナフィオン、及び／又は、
・セラミック群、有利にはイットリウム酸化物Ｙ２Ｏ３、又は、
・ペロブスカイト、有利にはバリウムジルコニウム酸化物、乃至、アクセプタがドープされた酸化物／ペロブスカイト、例えばＮｄ：ＢａＣｅＯ３もしくはＹ：ＳｒＺｒＯ３もしくはＹ：ＳｒＣｅＯ３もしくはこれらの材料の混合物
から選択された材料から形成される。
【００１８】
この場合、「主として」なる語は、その割合が９０重量％以上、有利には９５重量％以上、特に有利には９８重量％以上、最も有利には９９重量％以上であることを意味する。
【００１９】
本発明の有利な実施形態によれば、２つの電極のうち一方、有利には双方が、多孔性を有するように構成される。これは、センサ装置、特に薄膜プロトン伝導性材料への気体の通流が改善されるので、本発明にとって特に有利である。
【００２０】
ポーラスの断面積は数ナノメートルから数十もしくは数百マイクロメートルの範囲にある。電極材料として、有利には、触媒作用を有する金属、例えばＰｔ，Ｐｄ，Ａｕ，Ｎｉが用いられる。つまり、有利な実施形態によれば、電極のうち一方もしくは双方は、主として、Ｐｔ，Ｐｄ，Ａｕ，Ｎｉもしくはこれらの混合物を含む群から選択された材料から形成される。
【００２１】
本発明の有利な実施形態では、センサ装置はさらに、多孔性領域を含むマイクロメカニカル支持体基板を含み、当該多孔性領域の上方に電極及び薄膜プロトン伝導性材料が配置される。これは、支持体基板の一方側で安定性が得られ、他方側に充分に検出可能な気体乃至充分に測定可能な気体が達するため、実用上有利である。
【００２２】
本発明の有利な実施形態では、薄膜プロトン伝導性材料は、少なくとも部分的に一方側もしくは両側がプロトン伝導性薄膜層でコーティングされる。これにより、薄膜プロトン伝導性材料を腐食に対して保護することができる。
【００２３】
この場合、１ｎｍ以上１００ｎｍ以下、有利には１０ｎｍ以下の厚さの薄膜が用いられる。
【００２４】
有利には、薄膜プロトン伝導性材料は、主として、イットリウムドープされたジルコニウム酸化物、アルミニウム酸化物、ハフニウム酸化物、セリウム酸化物、タンタル酸化物もしくはこれらの混合物を含む群から選択された材料から形成される。
【００２５】
本発明の有利な実施形態によれば、センサ装置はさらにメンブレイン領域を定める開放口を有し、２つの電極のうち一方は開放口を通って延在する。
【００２６】
センサ装置（又は、装置が複雑である場合はその一部）の製造方法として、スパッタリングやレーザーアプレーションなどの物理的蒸着法、又は、ＣＶＤや原子層堆積などの化学的蒸着法が用いられる。
【００２７】
この種のセンサ装置は、例えば、火災報知器、又は、自動車分野における排気ガスセンサ、又は、安全技術上の燃料電池もしくは自動排気システムの監視装置において使用される。
【００２８】
本発明の上述した各実施形態で使用される要素の寸法、形状、材料及びその他の技術的コンセプトは特別な除外条件を有さず、適用分野に応じて、既知の選択基準で任意に利用可能である。
【００２９】
本発明の詳細すなわち他の特徴及び利点は、従属請求項及び以下に説明する図示の実施例から得られる。
【実施例】
【００３０】
図１には、本発明の実施例のセンサ装置の概略的な断面図が示されている。図１に見られるように、センサ装置は、前面ＶＳ及び後面ＲＳを有する支持体基板１を備えている。ここでは、支持体基板１は、有利には、半導体プロセスで加工／パターニング可能な材料から形成されている。この材料として、ケイ素、ガリウムヒ化物、ケイ素炭化物、ガリウム窒化物などの"古典的な"半導体を用いてもよいし、Ｆｏｔｕｒａｎ（Ｒ）などの技術ガラスを用いてもよい。支持体基板１には、後面ＲＳから前面ＶＳへ延在しかつ測定領域Ｂを定義する開放口Ｋが設けられている。ここで、開放口Ｋおよびその周辺領域を覆うように、薄膜プロトン伝導性材料５が塗布されている。支持体基板１はさらに、２つの電極Ｅ１，Ｅ２によって包囲されている。全体として、センサ装置の領域は単純なネルンストセルを形成している。
【００３１】
以下に、測定方法を、測定気体が水素であるケースに則して説明する。
【００３２】
センサ装置は、図１には示されていないが、前面ＶＳが分析気体室に面し、後面ＲＳが基準気体室の一部を形成するように構成されている。センサ装置は有利にはもちろん周囲に対して密閉される。電極Ｅ１，Ｅ２は例えば白金を含む。ここで白金は、周知のように、水素を大量に蓄積でき、かつ、水素との反応に対する触媒として作用する。電極Ｅ１，Ｅ２により、プロトンが、特に水素濃度に依存して、薄膜プロトン伝導性材料５へ導入される。分析気体室と基準気体室（ただし基準気体室はもちろん水素濃度が正確に既知となっている必要がある）との間に濃度勾配が存在する場合、電位が生じ、これが電極Ｅ１，Ｅ２で測定される。類似の方法は、例えば、炭化水素もしくはＮＨ３などの水素を含む気体を測定する場合にも行われる。この場合にも、プロトンが薄膜イオン伝導性材料５へ導入される。
【００３３】
図２には、図１のセルの変形例が示されており、ここでは、薄膜プロトン伝導性材料５の一方側にプロトン伝導性の薄膜層５０が塗布されている。こうした薄膜層５０は付加的に薄膜プロトン伝導性材料５を腐食から保護する。図示されていないが、こうした薄膜層５０を、本発明の有利な実施例として、測定領域及び装置の両側に塗布することができる。
【符号の説明】
【００３４】
１  支持体基板、  ５  薄膜プロトン伝導性材料、  ＶＳ  前面、  ＲＳ  後面、  Ｅ１，Ｅ２  電極、  Ｂ  測定領域、  Ｋ  開放口、  ５０  プロトン伝導性の薄膜層
【図１】
2014224819.tif 000003
【図２】
2014224819.tif 000004
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
気体の測定及び／又は検出を行うセンサ装置であって、
第１のマイクロメカニカル電極（Ｅ１）と、
第２のマイクロメカニカル電極（Ｅ２）と、
薄膜イオン伝導性材料（５）と
を含み、
前記薄膜イオン伝導性材料（５）は、負帯電イオンの伝導率に比べて高い正帯電イオンの伝導率を有しており、前記第１のマイクロメカニカル電極（Ｅ１）と前記第２のマイクロメカニカル電極（Ｅ２）との間に埋め込まれている
ことを特徴とするセンサ装置。
【請求項２】
前記薄膜イオン伝導性材料（５）は５０ｎｍ以上１５００ｎｍ以下の厚さを有する、請求項１記載のセンサ装置。
【請求項３】
前記薄膜イオン伝導性材料（５）は、１０−８Ｓ／ｃｍ以上の正帯電イオンの伝導率を有する、請求項１又は２記載のセンサ装置。
【請求項４】
前記薄膜イオン伝導性材料（５）は、プロトン伝導率を有する、請求項３記載のセンサ装置。
【請求項５】
前記薄膜イオン伝導性材料（５）は、
ポリマー群もしくはセラミック群もしくはペロブスカイトもしくはアクセプタドープされた酸化物／ペロブスカイトから選択された材料、
又は、
ポリマー群と、セラミック群もしくはペロブスカイトもしくはアクセプタドープされた酸化物／ペロブスカイトとを含む材料
を含む、
請求項１から４までのいずれか１項記載のセンサ装置。
【請求項６】
前記薄膜イオン伝導性材料（５）は、
ナフィオンもしくはイットリウム酸化物（Ｙ２Ｏ３）もしくはバリウムジルコニウム酸化物、又は、Ｎｄ：ＢａＣｅＯ３もしくはＹ：ＳｒＺｒＯ３もしくはＹ：ＳｒＣｅＯ３もしくはこれらの材料の混合物、から選択された材料、
又は、
ナフィオンと、イットリウム酸化物（Ｙ２Ｏ３）もしくはバリウムジルコニウム酸化物、又は、Ｎｄ：ＢａＣｅＯ３もしくはＹ：ＳｒＺｒＯ３もしくはＹ：ＳｒＣｅＯ３もしくはこれらの材料の混合物とを含む材料
を含む、
請求項５記載のセンサ装置。
【請求項７】
前記第１のマイクロメカニカル電極及び前記第２のマイクロメカニカル電極（Ｅ１，Ｅ２）の一方もしくは双方は多孔性を有するように構成されている、請求項１から６までのいずれか１項記載のセンサ装置。
【請求項８】
前記第１のマイクロメカニカル電極及び前記第２のマイクロメカニカル電極（Ｅ１，Ｅ２）の一方もしくは双方は、Ｐｔ，Ｐｄ，Ａｕ，Ｎｉもしくはこれらの混合物を含む群から選択された材料を含む、請求項１から７までのいずれか１項記載のセンサ装置。
【請求項９】
前記センサ装置はさらに多孔性領域を含むマイクロメカニカル支持体基板（１）を含み、前記多孔性領域の上方に前記第１のマイクロメカニカル電極及び前記第２のマイクロメカニカル電極（Ｅ１，Ｅ２）及び前記薄膜イオン伝導性材料（５）が配置されている、請求項１から８までのいずれか１項記載のセンサ装置。
【請求項１０】
前記薄膜イオン伝導性材料（５）は少なくとも部分的に一方側もしくは両側がイオン伝導性薄膜層（５０）でコーティングされており、前記イオン伝導性薄膜層（５０）は負帯電イオンの伝導率に比べて高い正帯電イオンの伝導率を有する、請求項１から９までのいずれか１項記載のセンサ装置。
【請求項１１】
前記イオン伝導性薄膜層（５０）は１ｎｍ以上１００ｎｍ以下の厚さを有する、請求項１０記載のセンサ装置。
【請求項１２】
前記センサ装置はさらにメンブレイン領域（Ｂ）を定める開放口（Ｋ）を有し、前記第１のマイクロメカニカル電極及び前記第２のマイクロメカニカル電極（Ｅ１，Ｅ２）の一方（Ｅ２）は前記開放口（Ｋ）を通って延在している、請求項１から１１までのいずれか１項記載のセンサ装置。